(57)【要約】【課題】現代人はエアコンなどの普及によりその弊害として低体温が原因と思われる身体の不調を訴える人が多く、身体を温め体の免疫力を高め病気の予防や健康の増進を諮る事が望ましい。特に女性の冷えが免疫力の低下を招き不妊症などが急増し問題視されている。【解決手段】蓄熱式遠赤外線で森林浴をしているかのような暖房温浴装置を開発した。発熱ヒーターは炭素繊維面状電気式発熱シートである。発熱シートを床や壁の断熱層のある下地に固定しシールドを施し電磁波をカット、セラミックタイルを貼り付ける。天井・壁面の一部にムクの針葉樹系木材（杉又は桧）を室内面積比くらい貼りつける。天井・壁面には自然素材の無添加漆喰材を塗りつける。室内の内装完了後、全てに透明塗料水溶液を吹付け完了する。一般住宅においては適材適所で設置する事により快適な暖房が得られる。【選択図】  図１
2013240375.tif 000002
【特許請求の範囲】
【請求項１】
四面の壁１とこれを覆う天井２が外側から順に外壁材３、外壁下地４、断熱材５、及び、断熱材外側内側をセラミックコート材６で積層し、石膏ボード７、更にその内側の内装として、前記四面の壁１の下部腰壁８は針葉樹系木材を又、腰壁８以外の壁１の上部と天井２は漆喰層９を形成して内装し、各内装の表面には透明塗料層１０を形成し、更に、前記４面の壁１の少なくともいずれかの面の一つに出入口１１を設けて断熱ドアー１１ａを装着すると共に、床は下地から順に断熱材５、外壁下地４、不燃ケイカル板１２、発熱シート１４を挟みこんだセメントモルタル１３、電磁波シールド材１５、セメントモルタル層１３及びタイル１７を張って床構造とした温浴室と一方、前記発熱シート１４は床構造内に埋設された温度センサー１６により所望の設定温度制御する温度コントローラ１８を設けられた暖房温浴装置。
【発明の詳細な説明】
【技術分野】
【０００１】
この暖房装置は人々の健康増進や病気予防などを目的とした省エネ発汗用温浴施設と一般住宅の省エネ暖房を目的とした暖房温浴装置に関する技術である。        
【背景技術】
【０００２】
サウナのように１００度Ｃ前後の高温と１００％近くの湿度空間では身体に負担がかかり高温多湿の部屋では健常な大人は使用できるが、子供やお年寄りにはあまりお勧めできない。又、岩盤浴に至っても室内は低温度で負荷はかかりにくいが岩盤浴施設の多くは、室内へ蒸気を取り入れ部屋の温度を上昇させ室温を維持している。湿度は５０から８０％と長時間入浴すると身体に異常が起り易い。又レジオネラ菌等細菌やカビの温床になりやすく体は温まるが肺などの呼吸器系に異常を招く事もあり病原菌を拾いやすく体力が落ちているお年寄りや子供には室内湿度が６０％以下に成るような施設が必要であった。又従来型の輻射型温水式床暖房装置は蓄熱層の確保にコンクリートを１００ｍｍ以上の厚みで打設が必要で重量面に難がありボイラーの設置、温水配管工事等、設備やメンテナンス費用、温度コントロールなど利用者側の施設管理負担も大きかった。
【先行技術文献】
【特許文献】
【０００３】
【特許文献１】特開２００６−３２７４２３号公報
【特許文献２】実用新案登録第３１６８６９５号公報
【発明の概要】
【発明が解決しようとする課題】
【０００４】
サウナの室内環境はかなりの高温であり、又岩盤浴などの多くは高温の蒸気を取り入れて室内の温度を維持するため、高温多湿の室内環境での施設利用は健常者であれば問題ないが、お年寄りなど体力が落ちている人や体力維持、病後の体力回復を願う方小さな子供にとって健康施設としては不向きである。健康や衛生面にも人が安心利用できるような環境の施設としては室内湿度が６０％以下で利用中においても快適性を感じられるような施設が必要であった。又現代人はエアコンなどの普及によりその弊害として低体温が原因と思われる身体の不調を訴える人が多く、身体を温め体の免疫力を高め病気の予防や健康の増進を諮る事が望ましい。特に女性の冷えが免疫力の低下を招き不妊症などが急増し問題視されている。
【課題を解決するための手段】
【０００５】
本発明は請求項１として本発明の暖房温浴装置は小型ユニットタイプの温浴目的で作成すれば工場での大量生産でコスト削減や建築現場での短期施工も可能である。設置スペースとしては畳一帖分くらいあれば室内のどこにでも設置できる。駐車場や庭先での設置も可能である。住宅であればリフォーム、又は新築時に洗面脱衣室のようなスペースを利用し設置すればコストも安く脱衣浴室の暖房の役目も果たせる。又、家屋内のキッチンの前など一部床にヒーター部分のみでも設置する事は女性の冷え防止にも役立つ。床表面がセラミックタイルなので木製フローリングなどより水に強いのも特徴である。エアコンの暖房は空気対流式で足元が冷たく、床からの遠赤外線方式であれば健康的で体の芯から温めることができる。
この方法は少人数利用のユニット型タイプの温浴装置や多人数利用施設の温浴設備としても可能である。他に一戸建て住宅・集合住宅・事務所・店舗・保育園・幼稚園・病院・老人施設・集会所など不特定多数の人が集まる場所の省エネ暖房装置としても応用できる。又、木材を乾燥させる省エネ低温乾燥炉としても可能である。
【発明の効果】
【０００６】
開発された温浴室では自然素材の木のほのかな香りを漂わせる空間は森林浴をしているかのような気分になる。換気扇も運転せず室内湿度が１５％未満、温度が４０度Ｃ前後と小さなお子様から年寄りまで安心して利用できる。カラッとした健康的で身体にあまり負荷のかからない安全な低温温浴装置である。森林浴とはストレスをやわらげ身も心もリフレッシュさせる爽快感がある。森林の香りの作用としては消臭・脱臭・抗菌・防虫・リフレッシュなど、自律神経の安定・肝機能の改善・快適な睡眠・空気の浄化・防腐・殺菌・病原菌に対する予防効果があると言われている。又天然物質の為副作用もない。今後、高齢者は増え続け介護施設や介護士さんの需要は高まるであろうが、病気にならないことが万人の願いであるならば元気なうちから自己の免疫力を高め病院に行く回数を減らし、家族に対する負担を軽減する為にも元気に老後を過ごせたら関係者も喜ばしく思う。温浴室内では、床や壁などから遠赤外線が放射される。通常イオン測定器で外部及び室内などを測定してもエアーイオン測定機器の値としては２０個／ｃｍ3前後が標準値であるが、温浴室内では常時６００個／ｃｍ3前後の値を標示する。通常の３０倍からのイオンの状態に増幅される。プラスイオンよりも１から２割ほどマイナスイオンが高い状態が維持される。個人差はあるが、多くの人がマイナスイオンの快適さを感じる事ができる。以上の現象により温浴で温めることによりヒトの副交感神経が刺激されヒトの免疫力を高める事ができると考えられる。ストレス・疲労回復・アンチエイジング・健康増進・病気予防など期待される
【図面の簡単な説明】
【０００７】
【図１】正面から見た一部を破断した温浴室内の内装仕上げ内観図である。
【図２】本発明の一例を示す平面から見た一部を破断した断面図である。
【図３】図２のＡ−Ａ線断面図である。
【図４】図３のＢ部拡大図である。
【図５】図２のＣ部拡大図である。
【発明を実施するための形態】
【０００８】
電気による蓄熱輻射方式で非常に低コストであるが、よりコストダウンを諮れば太陽光パネルによる自家発電装置と併用すれば、昼間の通電時はコスト減に成るので夜間時の電気代のみで運転できる。ランニングコストとしては半分以下で使用できる。新築時点で使用目的に応じて部屋の床や壁の一部にこの装置を取り付け部屋ごとに温度センサーを設けることにより快適な暖房や遠赤外線の効果を得られヒートショックなど事故のない健康的な生活ができる。又、冬期以外であるなら温浴をした後、シャワーを流すだけで充分身体のリフレッシュはできる。浴槽の水道代や消費エネルギーを節約できる。又蓄熱・輻射による電気をセンサーでコントロール・オンオフを自動で制御しながら２４時間安全に運転できる。炭素繊維状の発熱シートを蓄熱、輻射をするしくみとして表面にタイル状セラミックを用いる。岩盤浴などに使用されるような鉱物的な放射線を発するものは極力使用を避ける。室内の仕上げを天然自然素材の漆喰や針葉樹系木材の桧・杉など匂いの良い自然木で仕上げる。断熱材は揮発性化学物質が極力抑えられたウレタン発泡断熱材とし、厚みは温暖地域で５０ｍｍ前後、寒冷地では１００ｍｍ前後を使用する。極力外側の温度影響を受けない構造とする。最終仕上げとして海洋性ミネラル含有物・動植物プランクトン化石原料・顔料セメント微粒子パウダー・焼成用ミネラル微粒子で構成され遠赤外線を放射する透明塗料水溶液（ＳＯＤリキッド）を壁・天井に２回以上噴霧をして自然乾燥させる。２４時間後には室内に木の香りを漂わせ森林浴のような空間をかもし出す。その効果で副交感神経を刺激し気分が落ち着く。以下、図面にもとづき説明する。
【実施例】
【０００９】
図１に基づいて説明する。図１は、この暖房温浴装置の正面から見た内観図であり出入口１１に装着された断熱ドアー１１ａの一部を破断して温浴室符号の内装仕上げ内観図である。温浴室内は巾６５０ｍｍ、高さ２０００ｍｍ、奥行き２０００ｍｍであり木製ガラス入りの断熱ドアー１１ａと四面の壁の下部の腰壁８を除く壁面は漆喰層９により内装されており、その内装の表面には透明塗料層１０が形成されている。又床は、セラミックタイルが張られている。腰壁８はムク板とし、杉又は桧の板厚１０ｍｍを用いた。漆喰層９は壁、天井ともに５ｍｍ厚さの無添加漆喰とした。透明塗料層１０は透明塗料水溶液（アシスト理研製、ＳＯＤリキッド）を塗布した。
【００１０】
図２は平面から見た図であり、上部の一部を破断した図であり、四面の壁構造と正面の出入口に取り付けられた断熱ドアー１１ａの上から見た断面の構造が理解されるであろう。
【００１１】
次に図３に基づき天井２、四面の壁１、床の構造について説明する。四面の壁の構造は、図３のＢ部の拡大図として図４に示した。
この壁１の構造は、外側は外壁材３であって外気温を遮断するためのものである。この外壁材３は針葉樹系木材である杉を用いており板厚は１０ｍｍである。その内側には強度を維持するための外壁下地４が張られている。この外壁下地４は厚み９ｍｍの合板である。
【００１２】
更にその内側には気密性と保温性を備えた断熱材５が充填される。この断熱材５は硬質ウレタン発泡材で厚み４０ｍｍとしたが、４０〜１００ｍｍの間で選べば良い。
この断熱材の両面にはセラミックコート材６を塗布することにより化学物質の中和を諮り又、調湿効果や断熱性能をアップすることができる。このコート材６は０.５ｍｍ厚さとした。断熱材５の内側は９.５ｍｍ厚さの石膏ボード７となっている。この石膏ボード７は漆喰や天然木の下地材となる。
以上は壁面の構造として説明したが、天井の構造も同じである。
【００１３】
この内側には、内装が形成されている。この内装は天井２と４面の壁１の上部は漆喰９であり、４面の壁１の下部である腰板８は針葉樹系木材であり、この実施例では杉板を用いた。このように自然素材のみによる内装である。
【００１４】
この壁１と天井２の内装の表面には透明塗料層１０として透明塗料水溶液を塗布した。正面の出入口１１は巾６００ｍｍ、高さ１７８０ｍｍとし、この出入口１１に取り付けられた断熱ドアー１１ａは両面に杉板を貼り内部にウレタン発泡材を内蔵し、内部確認の為のガラス入り小窓を設けた。
【００１５】
一方、床の構造は図３のＣ部の拡大図として示した図５により説明する。床の構造は、下から順に断熱材５、下地材４、不燃ケイカル板１２、セメントモルタル１３、電気式発熱シート１４、その上面に電磁波シールド材１５、温度センサー１６を内包したセメントモルタル層１３、及びタイル１７を順次積層した。ここに用いた不燃ケイカル板１２は厚さ４ｍｍ、セメントモルタル１３は厚さ５ｍｍとした。又電気式発熱シート１４は炭素繊維の面状とし、電磁波シールド材１５は金網状とした。タイル１７はセラミックタイル２０ｍｍ厚さを用いた。
【００１６】
更に、前記ヒーター１４は温度センサー１６により所望の温度設定が可能となるように温度コントローラ１８が設けられた暖房温浴装置。
【産業上の利用可能性】
【００１７】
蓄熱・遠赤外線の組み合わせを電気式にした事でコントローラや感知センサーを内蔵、温度調整等の管理を容易にできサウナや岩盤浴などの施設の運営事業者にとって本発明は省エネで安全な温浴施設として寄与できるのではと思われる。又ユニット化による商品化では医療現場のリハビリや介護施設など幅広い分野に活用ができる。一般住宅の洗面脱衣室などに設置すればお年寄りの事故防止に繋がる。陽の当りにくいキッチンなどに床ヒーターのみでも設置すれば女性の冷え防止にも繋がる。    
【符号の説明】
【００１８】
１  壁
２  天井
３  外壁材
４  外壁下地
５  断熱材
６  セラミックコート材
７  石膏ボード
８  腰壁
９  漆喰層
１０  透明塗料
１１  出入口
１１ａ  断熱ドアー
１２  不燃ケイカル板
１３  セメントモルタル
１４  発熱シート
１５  シールド材
１６  温度センサー
１７  タイル
１８  温度コントローラ
【図１】
2013240375.tif 000003
【図２】
2013240375.tif 000004
【図３】
2013240375.tif 000005
【図４】
2013240375.tif 000006
【図５】
2013240375.tif 000007